(57)【特許請求の範囲】
【請求項１】
音声映像記録媒体と、外部音声映像入力手段と、音声再生専用記録媒体または音声映像再生専用情報媒体とからそれぞれ出力される信号に基づいて、少なくとも音声を記録および再生する音声映像記録再生装置であって、
前記音声映像記録媒体から再生される第１音量レベルの第１音声信号と、前記外部音声映像入力手段から入力され前記第１音量レベルに等しい音量レベルの第２音声信号と、前記音声再生専用記録媒体または前記音声映像再生専用情報媒体から再生され前記第１音量レベルよりも低い第２音量レベルを有する第３音声信号とを切り替え、前記第１、第２および第３音声信号のいずれかを出力する音声信号切替手段と、
前記音声信号切替手段が、前記第３音声信号から前記第１および第２音声信号のいずれかへ切り替えた時に、前記音声信号切替手段から出力される前記第１および第２音声信号のいずれかに対してミュート動作を実行し、前記第１音声信号および前記第２音声信号間で切り替えた時には、前記第１音量レベルを維持するミュート手段とを備える音声映像記録再生装置。
【請求項２】
前記ミュート手段は、前記音声信号切替手段が前記第１および第２音声信号のいずれかから前記第３音声信号へ切り替えた時に、前記音声信号切替手段から出力される前記第３音声信号に対してミュート動作を実行する、請求項１記載の音声映像記録再生装置。
【請求項３】
前記音声映像記録媒体は、前記第１音声信号に対応する第１映像信号を出力し、前記外部音声映像入力手段は、前記第２音声信号に対応する第２映像信号を出力し、前記音声映像再生専用情報媒体は、前記第３音声信号に対応する第３映像信号を出力し、前記第１〜第３映像信号を切り替えて、前記第１〜第３映像信号のいずれかを選択して出力する映像選択手段をさらに備える、請求項１または２記載の音声映像記録再生装置。
【請求項４】
前記映像選択手段は、第３映像信号は、静止画情報媒体から再生される静止画信号を選択して出力する、請求項３記載の音声映像記録再生装置。
【請求項５】
前記音声映像記録媒体に記録する音量レベルは、前記第１音量レベルに等しい請求項１〜３のいずれかに記載の音声映像記録再生装置。
【発明の詳細な説明】
【０００１】
【発明の属する技術分野】
本発明は、音声映像記録再生装置に関し、特に音声レベルの異なる音声信号が記録される複数の情報記録媒体を再生する音声映像記録再生装置に関する。
【０００２】
【従来の技術】
複数種類の情報記録媒体、例えばＤＶＤ−Ｒｅｃｏｒｄｉｎｇ、ＤＶＤ−Ｖｉｄｅｏ、Ｖｉｄｅｏ−ＣＤ（以下「Ｖ−ＣＤ」という）およびＣＤ−Ａｕｄｉｏ（以下「ＣＤ−Ａ」という）を再生する音声映像記録再生装置が近年用いられている。
【０００３】
この複数種類の情報記録媒体（例えばＤＶＤ−Ｒｅｃｏｒｄｉｎｇ、ＤＶＤ−Ｖｉｄｅｏ、Ｖ−ＣＤおよびＣＤ−Ａ）のそれぞれには、異なる音量レベルを有する音声信号が記録される。
【０００４】
【発明が解決しようとする課題】
しかし、音量レベルの異なる音声信号が記録される複数の情報記録媒体を再生する場合には、入力媒体の切り替え時に切り替え前と異なる音声レベルを有する音声が出力されることがある。視聴者は、切り替え前と異なる音声レベルを有する音声が突然出力されると違和感を感ずる。
【０００５】
本発明の目的は、音声レベルの異なる種々の媒体を再生する場合であっても、入力媒体の切り替え時に切り替え前と異なる音声レベルを有する音声が出力されることに起因する、視聴者の違和感を解消することにある。
【０００６】
【課題を解決するための手段】
本発明に係る音声映像記録再生装置は、音声映像記録媒体と、外部音声映像入力手段と、音声再生専用記録媒体または音声映像再生専用情報媒体とからそれぞれ出力される信号に基づいて、少なくとも音声を記録および再生する音声映像記録再生装置であって、前記音声映像記録媒体から再生される第１音量レベルの第１音声信号と、前記外部音声映像入力手段から入力され前記第１音量レベルに等しい音量レベルの第２音声信号と、前記音声再生専用記録媒体または前記音声映像再生専用情報媒体から再生され前記第１音量レベルよりも低い第２音量レベルを有する第３音声信号とを切り替え、前記第１、第２および第３音声信号のいずれかを出力する音声信号切替手段と、前記音声信号切替手段が、前記第３音声信号から前記第１および第２音声信号のいずれかへ切り替えた時に、前記音声信号切替手段から出力される前記第１および第２音声信号のいずれかに対してミュート動作を実行し、前記第１音声信号および前記第２音声信号間で切り替えた時には、前記第１音量レベルを維持するミュート手段とを備え、そのことにより上記目的が達成される。
【０００７】
前記ミュート手段は、前記音声信号切替手段が前記第１および第２音声信号のいずれかから前記第３音声信号へ切り替えた時に、前記音声信号切替手段から出力される前記第３音声信号に対してミュート動作を実行してもよい。
【００１１】
前記音声映像記録媒体は、前記第１音声信号に対応する第１映像信号を出力し、前記外部音声映像入力手段は、前記第２音声信号に対応する第２映像信号を出力し、前記音声映像再生専用情報媒体は、前記第３音声信号に対応する第３映像信号を出力し、前記第１〜第３映像信号を切り替えて、前記第１〜第３映像信号のいずれかを選択して出力する映像選択手段をさらに備えてもよい。
【００１２】
前記音声映像記録媒体に記録する音量レベルは、前記第１音量レベルに等しい構成が好ましい。
【００１３】
前記映像選択手段は、第３映像信号は、静止画情報媒体から再生される静止画信号を選択して出力してもよい。
【００１４】
前記第３映像信号は、静止画情報媒体から再生される静止画信号を含んでもよい。
【００１５】
【発明の実施の形態】
図１は、実施の形態に係る音声映像記録再生装置のブロック図である。図１を参照して、音声映像記録再生装置１００は、音声映像記録回路１０１と、音声映像再生回路１０２、１０３と、音声再生回路１０４と、静止画再生回路１０５と、音声ミュート回路１０６と、媒体記録再生回路１０７と、出力信号切替回路１０８と、システム制御部１０９と、音声入力端子１１０と、映像入力端子１１１と、音声出力端子１１２と、映像出力端子１１３とを含む。
【００１６】
図２は、実施の形態に係る音声映像記録再生装置から出力される平均音量レベルと入力媒体と動作モードとの関係を示す図である。
【００１７】
図２を参照して、音声映像記録再生装置１００は、異なる音量レベルを有する音声信号が記録された情報記録媒体、即ちＤＶＤ−Ｒｅｃｏｒｄｉｎｇ、ＤＶＤ−Ｖｉｄｅｏ、Ｖ−ＣＤおよびＣＤ−Ａを再生する。ＤＶＤ−Ｒｅｃｏｒｄｉｎｇは、記録と再生との双方が可能な情報記録媒体である。ＤＶＤ−Ｖｉｄｅｏ、Ｖ−ＣＤおよびＣＤ−Ａは、再生専用の情報記録媒体である。
【００１８】
ＤＶＤ−Ｒｅｃｏｒｄｉｎｇでは、音声映像記録再生装置１００は停止モード、再生モードおよび記録モードで平均音量レベルＡ１を有する音声信号を出力する。音声映像記録再生装置１００は、停止モードおよび記録モードでは、テレビからの音声信号を出力する。音声映像記録再生装置１００は、再生モードではＤＶＤ−Ｒｅｃｏｒｄｉｎｇに記録された音声信号を出力する。
【００１９】
ＤＶＤ−Ｖｉｄｅｏの再生モードで、音声映像記録再生装置１００は平均音量レベルＢ１を有する音声信号を出力する。Ｖ−ＣＤの再生モードで、音声映像記録再生装置１００は平均音量レベルＣ１を有する音声信号を出力する。ＣＤ−Ａの再生モードで、音声映像記録再生装置１００は平均音量レベルＤ１を有する音声信号を出力する。
【００２０】
停止１モードでは、音声映像記録再生装置１００は音声信号をミュートする。停止２モードでは、音声映像記録再生装置１００は平均音量レベルＡ１を有する音声信号を出力する。
【００２１】
図３は、実施の形態に係る音声映像記録再生装置のＣＤ−Ａの再生動作からＤＶＤ−Ｒｅｃｏｒｄｉｎｇの再生動作への切り替え時の動作を説明する図である。図３を参照して、ＣＤ−Ａの再生動作からＤＶＤ−Ｒｅｃｏｒｄｉｎｇの再生動作への切り替え時の音声映像記録再生装置１００の動作を説明する。
【００２２】
時刻ｔ１で音声映像記録再生装置１００は、ＣＤ−Ａの再生を開始する。出力切替回路１０８は、映像出力端子１１３から静止画再生回路１０５により再生された静止画を出力する。出力切替回路１０８は、音声再生回路１０４により再生された平均音量レベルＤ１を有する音声信号を音声出力端子１１２から出力する。
【００２３】
時刻ｔ２で出力切替回路１０８は、音声ミュート回路１０６の出力を音声出力端子１１２から出力する。時刻ｔ３で出力切替回路１０８は、音声再生回路１０４により再生された平均音量レベルＤ１を有する音声信号を音声出力端子１１２から出力する。
【００２４】
時刻ｔ４で出力切替回路１０８は、音声ミュート回路１０６の出力を音声出力端子１１２から出力し、音声再生回路１０４により再生された平均音量レベルＤ１を有する音声信号に対してミュート動作を実行する。時刻ｔ５で出力切替回路１０８は、音声映像再生回路１０２により再生された平均音量レベルＡ１を有する音声信号を音声出力端子１１２から出力する。出力切替回路１０８は、音声映像再生回路１０２により再生された映像信号を映像出力端子１１３から出力する。
【００２５】
このように、平均音量レベルＤ１を有する音声信号が記録されるＣＤ−Ａから、ＣＤ−Ａの平均音量レベルＤ１とは異なる平均音量レベルＡ１を有する音声信号が記録されるＤＶＤ−Ｒｅｃｏｒｄｉｎｇに切り替えられた時は、平均音量レベルＡ１を有するＤＶＤ−Ｒｅｃｏｒｄｉｎｇの音声信号に対してミュート動作が実行される。
【００２６】
このため、音声レベルの異なるＣＤ−ＡとＤＶＤ−Ｒｅｃｏｒｄｉｎｇとを再生する場合であっても、入力媒体の切り替え時（ＣＤ−ＡとＤＶＤ−Ｒｅｃｏｒｄｉｎｇとの間の切替時）に切り替え前の平均音量レベルＤ１と異なる平均音量レベルＡ１を有する音声が出力されることに起因する、視聴者の違和感を解消することができる。
【００２７】
図４は、実施の形態に係る音声映像記録再生装置のＤＶＤ−ＶｉｄｅｏまたはＶ−ＣＤの再生動作からＤＶＤ−Ｒｅｃｏｒｄｉｎｇの再生動作への切り替え時の動作を説明する図である。図４を参照して、ＤＶＤ−ＶｉｄｅｏまたはＶ−ＣＤの再生動作からＤＶＤ−Ｒｅｃｏｒｄｉｎｇの再生動作への切り替え時の音声映像記録再生装置１００の動作を説明する。
【００２８】
時刻ｔ６で音声映像記録再生装置１００は、ＤＶＤ−ＶｉｄｅｏまたはＶ−ＣＤの再生を開始する。出力切替回路１０８は、音声映像再生回路１０３により再生された再生映像を映像出力端子１１３から出力する。出力切替回路１０８は、音声映像再生回路１０３により再生された平均音量レベルＢ１またはＣ１を有する音声信号を音声出力端子１１２から出力する。
【００２９】
時刻ｔ７で出力切替回路１０８は、音声ミュート回路１０６の出力を音声出力端子１１２から出力する。出力切替回路１０８は、静止画再生回路１０５により再生された静止画を映像出力端子１１３から出力する。時刻ｔ８で出力切替回路１０８は、音声映像再生回路１０３により再生された再生映像を映像出力端子１１３から出力する。出力切替回路１０８は、音声映像再生回路１０３により再生された平均音量レベルＢ１またはＣ１を有する音声信号を音声出力端子１１２から出力する。
【００３０】
時刻ｔ９で出力切替回路１０８は、音声ミュート回路１０６の出力を音声出力端子１１２から出力し、音声映像再生回路１０３により再生された平均音量レベルＢ１またはＣ１を有する音声信号に対してミュート動作を実行する。出力切替回路１０８は、静止画再生回路１０５により再生された静止画を映像出力端子１１３から出力する。時刻ｔ１０で出力切替回路１０８は、音声映像再生回路１０２により再生された平均音量レベルＡ１を有する音声信号を音声出力端子１１２から出力する。出力切替回路１０８は、音声映像再生回路１０２により再生された映像信号を映像出力端子１１３から出力する。
【００３１】
このように、平均音量レベルＢ１を有する音声信号が記録されるＤＶＤ−Ｖｉｄｅｏまたは平均音量レベルＣ１を有する音声信号が記録されるＶ−ＣＤから、ＤＶＤ−Ｖｉｄｅｏの平均音量レベルＢ１およびＶ−ＣＤの平均音量レベルＣ１とは異なる平均音量レベルＡ１を有する音声信号が記録されるＤＶＤ−Ｒｅｃｏｒｄｉｎｇに切り替えられた時は、平均音量レベルＡ１を有するＤＶＤ−Ｒｅｃｏｒｄｉｎｇの音声信号に対してミュート動作が実行される。
【００３２】
このため、音声レベルの異なるＤＶＤ−ＶｉｄｅｏまたはＶ−ＣＤとＤＶＤ−Ｒｅｃｏｒｄｉｎｇとを再生する場合であっても、入力媒体の切り替え時（ＤＶＤ−ＶｉｄｅｏまたはＶ−ＣＤとＤＶＤ−Ｒｅｃｏｒｄｉｎｇとの間の切替時）に切り替え前の平均音量レベルＢ１またはＣ１と異なる平均音量レベルＡ１を有する音声が出力されることに起因する、視聴者の違和感を解消することができる。
【００３３】
図５は、実施の形態に係る音声映像記録再生装置のＤＶＤ−Ｒｅｃｏｒｄｉｎｇの再生動作を説明する図である。図５を参照して、音声映像記録再生装置１００のＤＶＤ−Ｒｅｃｏｒｄｉｎｇの再生動作を説明する。
【００３４】
時刻ｔ１１で音声映像記録再生装置１００は、ＤＶＤ−Ｒｅｃｏｒｄｉｎｇへの記録を開始する。出力切替回路１０８は、映像入力端子１１１から入力された映像信号を映像信号を映像出力端子１１３から出力する。出力切替回路１０８は、音声入力端子１１０から入力された平均音量レベルＡ１を有する音声信号を音声出力端子１１２から出力する。
【００３５】
時刻ｔ１２で音声映像記録再生装置１００は、ＤＶＤ−Ｒｅｃｏｒｄｉｎｇへの記録を停止する。出力切替回路１０８は、映像入力端子１１１から入力された映像信号を映像信号を映像出力端子１１３から出力する。出力切替回路１０８は、音声入力端子１１０から入力された平均音量レベルＡ１を有する音声信号を音声出力端子１１２から出力する。
【００３６】
時刻ｔ１３で音声映像記録再生装置１００は、ＤＶＤ−Ｒｅｃｏｒｄｉｎｇからの再生を開始する。出力切替回路１０８は、音声映像再生回路１０２により再生される映像信号を映像出力端子１１３から出力する。出力切替回路１０８は、音声映像再生回路１０２により再生される平均音量レベルＡ１を有する音声信号を音声出力端子１１２から出力する。
【００３７】
時刻ｔ１４で音声映像記録再生装置１００は、ＤＶＤ−Ｒｅｃｏｒｄｉｎｇからの再生を停止する。出力切替回路１０８は、映像入力端子１１１から入力された映像信号を映像出力端子１１３から出力する。出力切替回路１０８は、音声入力端子１１０から入力された平均音量レベルＡ１を有する音声信号を音声出力端子１１２から出力する。
【００３８】
このように、ＤＶＤ−Ｒｅｃｏｒｄｉｎｇの記録、再生および停止動作では、音声信号の平均音量レベルが同一（Ａ１）であるので、記録、再生および停止動作間での切替時にミュート動作は実行されない。
【００３９】
【発明の効果】
以上のように本発明によれば、外部から入力される音声映像信号（たとえばチューナー入力）と音声レベルの異なる種々の媒体を再生する場合に、停止直後に外部からの入力をそのまま出力すると音声レベルが異なるために、急に音量が大きくなったり小さくなったりするので、その緩衝として映像に静止画・音声またはミュートを出力する。このため、音声レベルの異なる種々の媒体を再生する場合であっても、入力媒体の切り替え時に切り替え前と異なる音声レベルを有する音声が出力されることに起因する、視聴者の違和感を解消することができる。
【００４０】
なお、外部から入力される音声映像を記録する場合には、入力信号を同一レベルで出力するよう構成することによって、再生以外は入力信号をそのままモニターできるように構成する。
【図面の簡単な説明】
【図１】実施の形態に係る音声映像記録再生装置のブロック図
【図２】実施の形態に係る音声映像記録再生装置から出力される平均音量レベルと入力媒体と動作モードとの関係を示す図
【図３】実施の形態に係る音声映像記録再生装置のＣＤ−Ａの再生動作からＤＶＤ−Ｒｅｃｏｒｄｉｎｇの再生動作への切り替え時の動作を説明する図
【図４】実施の形態に係る音声映像記録再生装置のＤＶＤ−ＶｉｄｅｏまたはＶ−ＣＤの再生動作からＤＶＤ−Ｒｅｃｏｒｄｉｎｇの再生動作への切り替え時の動作を説明する図
【図５】実施の形態に係る音声映像記録再生装置のＤＶＤ−Ｒｅｃｏｒｄｉｎｇの再生動作を説明する図
【符号の説明】
１００  音声映像記録再生装置
１０２、１０３  音声映像再生回路
１０４  音声再生回路
１０５  静止画再生回路
１０６  音声ミュート回路
１０８  出力信号切替回路
【図１】
0003659871.tif 000002
【図２】
0003659871.tif 000003
【図３】
0003659871.tif 000004
【図４】
0003659871.tif 000005
【図５】
0003659871.tif 000006